(57)【要約】【課題】個人識別情報を記録した非接触ＩＣタグを靴に装着する場合に、医療機器の下部前面に設置したリーダのアンテナによる個人識別情報の読み取りを安定させる。【解決手段】個人識別情報を記録したＩＣチップ６と、そのＩＣチップ６に接続するアンテナ４をプリントしたフィルム５とからなるインレット２を、柔軟性を有する密閉ケース３に収容し、その密閉ケース３を靴１２の甲部分１３に着脱可能とする。【選択図】図３
2008204380.tif 000002
【特許請求の範囲】
【請求項１】
個人識別情報を記録したＩＣチップ（６）と、そのＩＣチップ（６）に接続するアンテナ（４）をプリントしたフィルム（５）とからなるインレット（２）を、柔軟性を有する密閉ケース（３）に収容し、その密閉ケース（３）を靴（１２）の甲部分（１３）に着脱可能とした個人識別用非接触ＩＣタグ。
【請求項２】
請求項１に記載した個人識別用非接触ＩＣタグ（１）を、甲部分（１３）に装着した個人識別機能付き靴。
【発明の詳細な説明】
【技術分野】
【０００１】
この発明は、靴に装着する個人識別用非接触ＩＣタグ、および、その個人識別用非接触ＩＣタグを装着した個人識別機能付き靴に関する。
【背景技術】
【０００２】
近年、非接触ＩＣタグを用いたシステムが医療分野で利用されており、例えば、医療従事者が非接触ＩＣタグを身に付けて医療機器を使用する際に、その非接触ＩＣタグに記録された医療従事者の個人識別情報を、医療機器に設置したリーダに読み取らせ、その個人識別情報に基づいて、医療機器にアクセスする資格の有無を識別し、アクセスする資格があるときに、その医療機器へのアクセスを許可するものが知られている。
【０００３】
上記のシステムは、非接触ＩＣタグを首から下げて使用するものや、バッジのように胸に付けて使用するものなどがあり、リーダと離れた位置から、非接触ＩＣタグに記録された個人識別情報をリーダに読み取らせることができる利便性がある。
【０００４】
しかし、心臓にペースメーカを埋め込んだ医療従事者が、非接触ＩＣタグを上半身に付けた場合、非接触ＩＣタグとペースメーカとが近いので、その非接触ＩＣタグに記載された個人識別情報をリーダに読み取らせるときに発生する電磁波が、ペースメーカの動作に影響を及ぼすおそれがある。
【０００５】
また、非接触ＩＣタグを上半身に付けた医療従事者が、心臓にペースメーカを埋め込んだ患者に医療行為をする場合、医療従事者の非接触ＩＣタグと患者のペースメーカとが近いので、非接触ＩＣタグに記載された個人識別情報をリーダに読み取らせるときに発生する電磁波が、患者のペースメーカの動作に影響を及ぼすおそれがあった。
【０００６】
この問題を解決するために、非接触ＩＣタグを靴に取り付けることによって、ペースメーカと非接触ＩＣタグの距離を確保することが考えられるが、そのような靴として、非接触ＩＣタグを靴の中敷きの下に水平に設けたものが知られている（特許文献１）。
【０００７】
この靴は、リーダのアンテナを埋め込んだマットを踏んだときに、非接触ＩＣタグのアンテナから電磁波を発生させ、その電磁波をリーダのアンテナで受信することによって、非接触ＩＣタグに記録された個人識別情報をリーダに読み取らせる（特許文献１）。
【特許文献１】特開２００２−３１９０８３号公報
【発明の開示】
【発明が解決しようとする課題】
【０００８】
しかし、医療機器とは別体のマットにリーダのアンテナを設けると、医療機器を移動させる場合に、マットも移動させる必要があり手間がかかる。この手間を省くため、医療機器にリーダを直接取り付けて医療機器とリーダを一体化することが考えられるが、医療機器とリーダを一体化する場合、非接触ＩＣタグから送信される個人識別情報をリーダのアンテナで読み取るために、靴に取り付けた非接触ＩＣタグとリーダのアンテナとの間の通信距離を短くする必要があるため、リーダのアンテナは医療機器の下部前面に設置するのが適当である。
【０００９】
しかし、上記靴は、非接触ＩＣタグが水平なので、医療機器の下部前面にリーダのアンテナを設置した場合、リーダのアンテナ軸の方向に対する非接触ＩＣタグのアンテナ軸の方向のずれが大きく、非接触ＩＣタグに記録された医療従事者の個人識別情報を安定して読み取ることができない。
【００１０】
この発明が解決しようとする課題は、個人識別情報を記録した非接触ＩＣタグを靴に装着する場合に、医療機器の下部前面に設置したリーダのアンテナによる個人識別情報の読み取りを安定させることである。
【課題を解決するための手段】
【００１１】
上記課題を解決するため、個人識別情報を記録したＩＣチップと、そのＩＣチップに接続するアンテナをプリントしたフィルムとからなるインレットを、柔軟性を有する密閉ケースに収容し、その密閉ケースを靴の甲部分に着脱可能とした。このようにすると、靴の甲に装着された非接触ＩＣタグは前下がりに傾斜した状態となるので、医療機器の下部前面にリーダのアンテナを設置した場合、非接触ＩＣタグのアンテナ軸の方向に対するリーダのアンテナ軸の方向のずれが小さくなり、その非接触ＩＣタグに記録された医療従事者の個人識別情報を、リーダで安定して読み取ることができる。
【発明の効果】
【００１２】
この発明の個人識別用非接触ＩＣタグは、靴の甲部分に装着するので、医療機器の下部前面に取り付けたリーダのアンテナで、非接触ＩＣタグに記録された医療従事者の個人識別情報を安定して読み取ることができる。
【００１３】
また、インレットを収容する密閉ケースが柔軟性を有するので、靴を履いて歩いたときに、密閉ケースが甲部分に沿って変形し、違和感を生じない。
【００１４】
さらに、インレットを収容する密閉ケースが着脱可能なので、靴が傷んだときに、非接触ＩＣタグを交換せずに靴だけを交換することができる。同様に、非接触ＩＣタグが壊れたときに、靴を交換せずに非接触ＩＣタグだけを交換することができ、経済的である。
【発明を実施するための最良の形態】
【００１５】
図１に、この発明の実施形態の個人識別用非接触ＩＣタグ１を示す。この非接触ＩＣタグ１は、インレット２と、そのインレット２を収容する密閉ケース３からなる。
【００１６】
インレット２は、図２、図３に示すように、導体からなるアンテナ４が、絶縁性の樹脂フィルム５の表面を、その周縁に沿ってらせん状にプリントされている。アンテナ４は、個人識別情報が記録されたＩＣチップ６に接続されており、アンテナ４から発生する電磁波を介して個人識別情報を送信可能となっている。
【００１７】
密閉ケース３は、図２に示すように、軟質プラスチックからなる表面シート７と裏面シート８とを有する。表面シート７と裏面シート８は、図４に示すように、インレット２を間に挟んだ状態で表面シート７の周縁９と裏面シート８の周縁１０が互いに溶着されており、水やアルコール等の液体が密閉ケース３に付着しても、その液体の浸入を防止する。  
【００１８】
裏面シート８には、面ファスナ１１が取り付けられており、その面ファスナ１１によって、密閉ケース３は、図５に示すように、靴１２の甲部分１３に着脱可能となっている。
【００１９】
この非接触ＩＣタグ１の靴１２への装着は、靴１２の甲部分１３に面ファスナ１４をあらかじめ取り付けておき、その面ファスナ１４に面ファスナ１１を貼り合わせることによって行なう。非接触ＩＣタグ１を靴１２に装着してなる個人識別機能付き靴１５は、図６に示すように、密閉ケース３が甲部分１３を覆う大きさとなっているが、密閉ケース３の表面シート７と裏面シート８が軟質プラスチックからなっており柔軟性を有するので、個人識別機能付き靴１５を履いて歩いたときに、密閉ケース３が甲部分１３に沿って変形し、違和感を与えないようになっている。
【００２０】
この個人識別機能付き靴１５を用いると、次のようにして医療機器１６へのアクセス制限を行なうことができる。まず、図７に示すように、医療機器１６の下部前面にリーダ１７のアンテナ１８を設置し、そのアンテナ１８から非接触ＩＣタグ１を動作させるための電磁波を発生させる。個人識別機能付き靴１５を履いた医療従事者１９が医療機器１６に近づくと、個人識別機能付き靴１５の非接触ＩＣタグ１は、リーダ１７からの電磁波をアンテナ４で受信し、ＩＣチップ６に記録された個人識別情報に対応する電磁波をアンテナ４から発生する。リーダ１７は、非接触ＩＣタグ１から発生した電磁波から個人識別情報を読み取って医療機器１６に送り、その個人識別情報に基づいて、医療機器１６にアクセスする資格の有無を識別する。
【００２１】
アクセスする資格の識別は、たとえば、医療機器１６にあらかじめ記憶させた許可者リストとリーダ１７で読み取った個人識別情報とを照合し、その個人識別情報が許可者リストに含まれているか否かを判定することによって行なう。許可者リストに含まれている場合は、アクセスする資格があると判定し、医療機器１６へのアクセスを許可する。一方、許可者リストに含まれていない場合は、アクセスする資格がないと判定して、医療機器１６へのアクセスを制限する。
【００２２】
この個人識別用非接触ＩＣタグ１は、靴１２の甲部分１３に装着したときに、前下がりに傾斜した状態となるので、非接触ＩＣタグ１のアンテナ軸の方向に対するリーダ１７のアンテナ軸の方向のずれが小さい。そのため、医療従事者１９が医療機器１６に近づいたときに、非接触ＩＣタグ１のアンテナ４とリーダ１７のアンテナ１８との間の距離が長いときにも、非接触ＩＣタグ１に記録された医療従事者１９の個人識別情報を、リーダ１７で安定して読み取ることができる。
【００２３】
また、この非接触ＩＣタグ１は、密閉ケース３に収容したインレット２が個人識別機能付き靴１５の甲部分１３を覆う程度の大きさなので、個人識別機能付き靴１５の甲部分１３よりも面積の小さいかかと等の部位に非接触ＩＣタグ１を取り付ける場合に比べて、非接触ＩＣタグ１のアンテナ４の面積が大きい。そのため、アンテナ４の感度が高く、非接触ＩＣタグ１とリーダ１７との間の読み取り距離が長い。
【００２４】
また、個人識別機能付き靴１５は、非接触ＩＣタグ１が着脱可能なので、個人識別機能付き靴１５が傷んだときに、非接触ＩＣタグ１を交換せずに靴１２だけを交換することができる。同様に、非接触ＩＣタグ１が壊れたときに、靴１２を交換せずに非接触ＩＣタグ１だけを交換することができ、経済的である。
【００２５】
密閉ケース３を構成する表面シート７と裏面シート８は、軟質プラスチックに限られるものではなく、ゴム等の他の柔軟性材料を用いてもよい。
【００２６】
密閉ケース３は、靴１２の甲部分１３を覆う形状として、図３に示すように、長方形の角をそれぞれ丸くした形状を採用してもよいが、図８（a）に示すように、長方形の角をそれぞれ丸くし、２つの短辺のうち一方を他方よりも短くした形状のものや、図８（b）に示すように、楕円形のものでもよく、図８（c）に示すように、二等辺三角形の角をそれぞれ丸くした形状のものでもよい。
【００２７】
個人識別機能付き靴１５は、面ファスナ１１、１４に換えて、ボタンやホック等の他の連結部材により靴１２の甲部分１３に非接触ＩＣタグ１を着脱可能としてもよい。
【図面の簡単な説明】
【００２８】
【図１】この発明の実施形態の個人識別用非接触ＩＣタグを示す斜視図
【図２】図１に示す非接触ＩＣタグの分解斜視図
【図３】図１に示す非接触ＩＣタグの裏面シートの一部を破断した状態を示す図
【図４】図１に示す非接触ＩＣタグのIV−IV線に沿った断面図
【図５】図１に示す非接触ＩＣタグの靴への装着方法の説明図
【図６】図１に示す非接触ＩＣタグを靴に装着した状態を示す図
【図７】図６に示す個人識別機能付き靴の使用状態を示す図
【図８】図３に示す非接触ＩＣタグの変形例を示す図であり、（ａ）は長方形の角をそれぞれ丸くし、2つの短辺のうち一方を他方よりも短くした形状の非接触ＩＣタグを示す図、（ｂ）は楕円形状の非接触ＩＣタグを示す図、（ｃ）は二等辺三角形の角をそれぞれ丸くした形状の非接触ＩＣタグを示す図
【符号の説明】
【００２９】
１    個人識別用非接触ＩＣタグ
２    インレット
３    密閉ケース
４    アンテナ
５    樹脂フィルム
６    ＩＣチップ
１２  靴
１３  甲部分
１５  個人識別機能付き靴
【図１】
2008204380.tif 000003
【図２】
2008204380.tif 000004
【図３】
2008204380.tif 000005
【図４】
2008204380.tif 000006
【図５】
2008204380.tif 000007
【図６】
2008204380.tif 000008
【図７】
2008204380.tif 000009
【図８】
2008204380.tif 000010